【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
情報入力やマンマシン対話操作の選択を行う入力手段と、
プラントの監視画面、プラント機器の操作スイッチ、マンマシン対話用の画面等を表示する表示手段と、
前記入力手段及び表示手段をマンマシンインターフェイスとし、プラント機器を操作端として、この操作端の札掛けに関するコメントデータを一度に複数操作端分入力することが可能な対話画面を表示するマンマシン対話手段と、
前記対話画面に表示され、前記入力手段により入力した札掛けに関するコメントデータをファイル形式で保存するコメント設定ファイルと、
入力対象操作端の札掛けの設定／解除状態と、別途に判定された操作端自体の札掛け設定／解除状態をデータとして保存する札掛け設定ファイルと、
前記札掛け設定ファイルと前記マンマシン対話手段とのデータの入出力処理を行う札掛け設定手段と、
前記コメント設定ファイルと前記マンマシン対話手段とのデータの入出力処理を行う札掛けコメント設定手段と、
前記札掛け設定ファイルから複数の操作端の札掛け状態を読込み、その操作端自体が札掛け状態であるか否かを判定し、その結果を前記札掛け設定ファイルに書込む札掛け判定手段と、
プラント状態量及びプラント機器の状態を前記表示手段に表示し、前記入力手段からプラント状態を移行させる指令を受け付けるとプラント機器の操作スイッチを表示し、前記入力手段から状態移行指令を受け付けると該当操作端が札掛け状態にあるか否かを前記札掛け設定ファイルを参照し、札掛け設定状態ならば札掛け設定状態であることを告知すると共に、該当操作端に対しては状態移行信号を出力せず、札掛け解除状態ならば該当操作端に対して状態移行信号を出力する表示操作処理手段と、
を備えた表示操作装置。
【請求項２】
情報入力やマンマシン対話操作の選択を行う入力手段、プラントの監視画面、プラント機器の操作スイッチ、マンマシン対話用の画面等を表示する表示手段及び前記入力手段及び表示手段をマンマシンインターフェイスとし、プラント機器を操作端として、この操作端の札掛けに関する作業票番号、設定者、設定日、設定理由等のコメントデータを一度に複数操作端分及び複数件数分入力するための対話画面を表示するマンマシン対話手段を含んでなる外部端末と、
前記外部端末の前記マンマシン対話手段と前記札掛けコメント設定手段とで双方向通信を行う通信手段と、
を備えた請求項１に記載の表示操作装置。
【請求項３】
複数のコメント設定ファイルを保存する磁気ディスク等の記録媒体を持つコメント設定ファイル記憶装置と、
前記コメントファイル設定装置にコメントファイルを設定したり、コメント設定ファイルを読込んだりしてコメント設定ファイルの再利用を可能にするコメント設定ファイル管理手段と、
を備えた請求項１又は２に記載の表示操作装置。
【請求項４】
前記複数のコメント設定ファイルの中からどのタイミングでどのファイルをアクティブファイルに読み出すかの条件が設定されているタイミング判定条件ファイルと、
前記タイミング判定条件ファイルを周期的にチェックし、コメント設定ファイルの置換タイミングに到達したことを判定するタイミング判定手段と、
前記判定手段によつて前記コメント設定ファイルのアクティブファイルを自動的に置き換えるタイミングに到達した判定されたとき、この置き換えるタイミングに到達したことをオペレータに告知すると共に、オペレータからの置換実行許可通知を受け取り前記コメント設定ファイル管理手段に対してファイルの書き換え要求をする自動置換告知手段と、
を備えた請求項３に記載の表示操作装置。
【請求項５】
定例操作項目としてどのタイミングにどの定例ファイルをアクティブフアイルとするかが登録されている定例条件ファイルと、
前記定例条件ファイルを定期的にチェックし、前記コメント設定ファイルの置換タイミングに到達したことを判定する定例タイミング判定手段と、
前記定例タイミング判定手段によって前記コメント設定ファイルの置換タイミングに到達したと判定されたとき、前記コメント設定ファイルのアクティブファイルを定例ルールに基づき自動的に置き換えるタイミングに到達したことをオペレータに告知すると共に、オペレータからの置換実行許可通知を受け取りコメント設定ファイル管理手段に対してファイルの書き換え要求をする自動置換告知手段と、
を備えた請求項３に記載の表示操作装置。
【請求項６】
前記コメント設定ファイルに保存されたデータをどのようなフォーマットで印刷するかを規定している印刷データフォーマットと、
前記印刷データフォーマットをもとに前記コメント設定ファイルに保存されているデータを編集する札掛け印刷編集手段と、
前記コメント設定ファイルのデータを前記札掛け印刷編集手段にて規定したフォーマットでプリンタを用いた印刷する札掛け印刷手段と、
を備えた請求項１乃至５のいずれかに記載の表示操作装置。
【請求項７】
プラント状態量及びプラント機器の状態を表示する表示手段と、
プラント状態を移行させる指令を受け付ける入力手段と、
前記入力手段及び表示手段をマンマシンインターフェイスとし、プラント機器を操作端として、この操作端の札掛けに関するコメントデータを一度に複数操作端分入力することが可能な対話画面を表示するマンマシン対話手段と、
プラント機器の操作スイッチを表示し、前記入力手段から状態移行指令を受け付けると該当操作端が札掛け状態にあるか否かを判定し、札掛け設定状態ならば札掛け設定状態であることを告知すると共に、該当操作端に対して状態移行信号を出力せず、札掛け解除状態ならば該当操作端に対して状態移行信号を出力する表示操作処理手段と、
を備えた表示操作装置。
【手続補正２】
【補正対象書類名】明細書
【補正対象項目名】００２２
【補正方法】変更
【補正の内容】
【００２２】
【課題を解決するための手段】
請求項１に係る発明は、
情報入力やマンマシン対話操作の選択を行う入力手段と、
プラントの監視画面、プラント機器の操作スイッチ、マンマシン対話用の画面等を表示する表示手段と、
入力手段及び表示手段をマンマシンインターフェイスとし、プラント機器を操作端として、この操作端の札掛けに関するコメントデータを一度に複数操作端分入力することが可能な対話画面を表示するマンマシン対話手段と、
対話画面に表示され、入力手段により入力した札掛けに関するコメントデータをファイル形式で保存するコメント設定ファイルと、
入力対象操作端の札掛けの設定／解除状態と、別途に判定された操作端自体の札掛け設定／解除状態をデータとして保存する札掛け設定ファイルと、
札掛け設定ファイルとマンマシン対話手段とのデータの入出力処理を行う札掛け設定手段と、
コメント設定ファイルとマンマシン対話手段とのデータの入出力処理を行う札掛けコメント設定手段と、
札掛け設定ファイルから複数の操作端の札掛け状態を読込み、その操作端自体が札掛け状態であるか否かを判定し、その結果を札掛け設定ファイルに書込む札掛け判定手段と、
プラント状態量及びプラント機器の状態を表示手段に表示し、入力手段からプラント状態を移行させる指令を受け付けるとプラント機器の操作スイッチを表示し、入力手段から状態移行指令を受け付けると該当操作端が札掛け状態にあるか否かを札掛け設定ファイルを参照し、札掛け設定状態ならば札掛け設定状態であることを告知すると共に、該当操作端に対しては状態移行信号を出力せず、札掛け解除状態ならば該当操作端に対して状態移行信号を出力する表示操作処理手段と、
を備えた表示操作装置である。
【手続補正３】
【補正対象書類名】明細書
【補正対象項目名】００３６
【補正方法】変更
【補正の内容】
【００３６】
請求項６に係る表示操作装置においては、操作端の札掛け情報の印刷を行う場合には以下の手順で行う。マンマシン対話手段は表示手段に札掛け情報設定画面を表示し、札掛け情報設定の印刷要求を入力手段から受け付けて、札掛け設定手段に通知する。札掛け設定手段は、札掛け情報設定の印刷要求が告知されると操作端内の札掛け番号で札掛け印刷手段に印刷データの編集要求を行う。札掛け印刷編集手段は、操作端番号と操作端内の札掛け番号で、コメント設定ファイルから札掛け情報を取り出して印刷可能な札掛け情報印刷データに変換して、札掛け印刷手段に通知する。札掛け印刷手段は、札掛け印刷編集手段より通知された札掛け印刷データを基にプリンターに札掛け情報の印刷を行う。
請求項７に係る発明は、
プラント状態量及びプラント機器の状態を表示する表示手段と、
プラント状態を移行させる指令を受け付ける入力手段と、
入力手段及び表示手段をマンマシンインターフェイスとし、プラント機器を操作端として、この操作端の札掛けに関するコメントデータを一度に複数操作端分入力することが可能な対話画面を表示するマンマシン対話手段と、
プラント機器の操作スイッチを表示し、入力手段から状態移行指令を受け付けると該当操作端が札掛け状態にあるか否かを判定し、札掛け設定状態ならば札掛け設定状態であることを告知すると共に、該当操作端に対して状態移行信号を出力せず、札掛け解除状態ならば該当操作端に対して状態移行信号を出力する表示操作処理手段と、
を備えた表示操作装置である。